(57)【要約】本発明は少なくとも２つのサービス或いはトランスポートチャネルを同時に受信するユーザ機器（１０）と方法に関する。そのユーザ機器は、少なくとも２つの受信機ブランチ（１１ａ、１１ｂ）をもつ受信機（１１）と、前記サービスの受信に関して前記受信機ブランチのうちの少なくとも１つをスイッチオンしたりスイッチオフすることにより、前記受信機を動的に再構成する再構成部（１２）と、無線条件を測定する手段（１３）とを有する。その再構成部は、前記測定された無線条件と前記サービスのネットワークにより制御されるサービス品質の目標と前記サービスの測定品質とのうちの少なくとも１つに基づいて、前記動的再構成の実行動作を行うように構成されている。その機器はさらに、全ての同時に受信したサービス或いはトランスポートチャネルについて、前記ネットワークにより制御されるサービス品質から測定品質目標を導出する手段（１４）と、前記導出された測定品質目標の最大値を用いて前記受信機を動的に再構成する手段（１５）とを有する。
2010525703.tif 000002
【特許請求の範囲】
【請求項１】
少なくとも２つのサービス或いはトランスポートチャネルを同時に受信し、少なくとも２つの受信機ブランチをもつ受信機を用いて、前記サービスの受信に関して前記受信機ブランチのうちの少なくとも１つをスイッチオンしたりスイッチオフすることにより該受信機を動的に再構成するユーザ機器における方法であって、
前記動的再構成は、測定無線条件と前記サービスのネットワークにより制御されるサービス品質の目標と前記サービスの測定品質とのうちの少なくとも１つに基づいており、
前記方法はさらに、
全ての同時に受信したサービス或いはトランスポートチャネルについて、前記ネットワークにより制御されるサービス品質から測定品質目標を導出する工程と、
前記導出された測定品質目標の最大値を用いて前記受信機を動的に再構成する工程とを実行することを特徴とする方法。
【請求項２】
前記受信したサービス或いはトランスポートチャネルの全ては、同じ物理チャネルにマップされることを特徴とする請求項１に記載の方法。
【請求項３】
前記受信機の動的再構成のために用いられる前記導出された測定品質目標は前記測定品質目標全てのうちの最大値であることを特徴とする請求項２に記載の方法。
【請求項４】
前記受信したサービス或いはトランスポートチャネルは１つ以上の物理チャネルにマップされることを特徴とする請求項１に記載の方法。
【請求項５】
前記受信機の再構成は各物理チャネルから独立してなされることを特徴とする請求項４に記載の方法。
【請求項６】
前記各物理チャネルに対する受信機の再構成のために用いられる導出された測定品質目標は、対応する物理チャネルにマップされた前記サービス或いはトランスポートチャネルの前記測定品質目標全てのうちの最大値であることを特徴とする請求項５に記載の方法。
【請求項７】
前記受信機の再構成は全てのアクティブ物理チャネルで合同でなされることを特徴とする請求項４に記載の方法。
【請求項８】
前記受信機の動的再構成のために用いられる導出された測定品質目標は、前記アクティブ物理チャネル全てにマップされた前記サービス或いはトランスポートチャネルのうちの前記測定品質目標全てのうちの最大値であることを特徴とする請求項７に記載の方法。
【請求項９】
前記サービスはポイント−ツウ−マルチポイントＭＢＭＳサービスであることを特徴とする請求項１乃至８のいずれか１項に記載の方法。
【請求項１０】
前記トランスポートチャネルは、ＭＴＣＨ、ＭＣＣＨ、或いはＭＳＣＨであることを特徴とする請求項９に記載の方法。
【請求項１１】
前記サービスは、ポイント−ツウ−ポイントＤＣＨサービスであることを特徴とする請求項１乃至８のいずれか１項に記載の方法。
【請求項１２】
前記トランスポートチャネルは、ＤＣＣＨとＤＴＣＨであることを特徴とする請求項１１に記載の方法。
【請求項１３】
少なくとも２つのサービス或いはトランスポートチャネルを同時に受信するユーザ機器（１０）であって、
少なくとも２つの受信機ブランチ（１１ａ、１１ｂ）をもつ受信機（１１）と、
前記サービスの受信に関して前記受信機ブランチのうちの少なくとも１つをスイッチオンしたりスイッチオフすることにより、前記受信機を動的に再構成する再構成部（１２）と、
無線条件を測定する手段（１３）とを有し、
前記再構成部は、前記測定された無線条件と前記サービスのネットワークにより制御されるサービス品質の目標と前記サービスの測定品質とのうちの少なくとも１つに基づいて、前記動的再構成の実行動作を行うように構成されており、
前記ユーザ機器はさらに、
全ての同時に受信したサービス或いはトランスポートチャネルについて、前記ネットワークにより制御されるサービス品質から測定品質目標を導出する手段（１４）と、
前記導出された測定品質目標の最大値を用いて前記受信機を動的に再構成する手段（１５）とを有することを特徴とするユーザ機器。
【請求項１４】
前記サービスが受信される各物理チャネルについて、受信機の再構成を独立に実行するように適合されていることを特徴とする請求項１３に記載のユーザ機器。
【請求項１５】
全てのアクティブ物理チャネルで受信機の再構成を合同で実行するように適合されていることを特徴とする請求項１３に記載のユーザ機器。
【発明の詳細な説明】
【技術分野】
【０００１】
本発明は少なくとも２つのサービス或いはトランスポートチャネルを同時に受信するユーザ機器と方法に関する。
【背景技術】
【０００２】
ユーザ機器（ＵＥ）はアクセス技術や無線インタフェースの設計に係わりなく、多数の受信機ブランチを採用することができる。通常、ＵＥには２つの受信機ブランチがある。これは通常、受信ダイバーシチと名前がつけられている。セルカバレッジが拡張され、基地局で送信電力が効率的に用いられるなどのような幾らかの利点がある。付加的白色ガウス雑音（ＡＷＧＮ：Additive White Gaussian Noise）では、２つの受信機ブランチがシステム能力を３ｄＢほど向上させることができる。しかしながら、ＵＥの多数のブランチがまた電力を無駄に使用し、これによりあるシナリオではＵＥの通話或いは使用時間を少なくしてしまう。それ故に、受信ダイバーシチがシステムの利得につながらないシナリオでは、ＵＥの電池の観点からすれば、付加的な受信機ブランチのスイッチを切ることは有益である。
【０００３】
ＵＥで２つの受信機ブランチからなる受信ダイバーシチはＷＣＤＭＡで用いられている。その標準では、受信ダイバーシチはＵＥの機能であり、それはＵＥ受信機の要件を規定することにより保証されており、それは改良された実効能力要求タイプ１と呼ばれている。
【０００４】
受信ダイバーシチ（或いはタイプ１要求）はダウンリンクの物理チャネルにより多くのシナリオに対して規定されている。受信ダイバーシチを採用するシナリオは、ＨＳＤＰＡ、ＭＢＭＳ，ＤＣＨ、改良型アップリンク（ＥＵＬ）ダウンリンクチャネルを含む。現在、受信ダイバーシチを用いている物理チャネルは、ＨＳＤＰＡシナリオ関してはＨＳ−ＰＤＳＣＨとＨＳ−ＳＣＣＨ、ＤＣＨシナリオに関してはＤＰＣＨとＤＰＣＣＨ、ＭＢＭＳシナリオに関してはＭＴＣＨ、ＥＵＬシナリオに関してはＥ−ＲＧＣＨとＥ−ＨＩＣＨとＥ−ＡＧＣＨである。
【０００５】
Ｅ−ＵＴＲＡＮでは、ＵＥの受信ダイバーシチはおそらく最低要件或いは必須の特徴として採用されるであろう。従って、Ｅ−ＵＴＲＡＮのＵＥでは全てのシナリオにおける全てのチャネルを受信するために少なくとも２つの受信機ブランチを用いるであろう。
【０００６】
上述のように、受信ダイバーシチによって示唆される１つのことは、全てではないが幾つかのシナリオにおける電力消費の増加である。ＵＥの電力消費が増加し、ネットワークは受信ダイバーシチを全時間アクティブにさせることから十分な利益を得られないようなシナリオでは、もし無線条件が良くなければ、その受信ダイバーシチの１つをスイッチオフすることがＵＥの観点からすれば有益である。一方、ＵＥは無線条件が劣化するときには両方の受信機ブランチのスイッチをオンにすべきである。無線条件に応じた受信ダイバーシチのスイッチオン／オフは３ＧＰＰの用語では改良型ＵＥ受信機の動的再構成と呼ばれている。
【０００７】
原理上、動的再構成の概念は全てのシナリオにおいてＵＥで用いられる。しかしながら、あるシナリオでは、ネットワークの観点からすれば、ＵＥがその受信ダイバーシチをセション中はいつもオンにしておくことには利点がある。例えば、ＨＳＤＰＡのシナリオでは、スケジューリング依存のチャネルは良好な無線条件を利用してユーザスループットを向上させる。ＵＥに受信ダイバーシチを導入するならば、良好な無線条件ではスケジューリング依存のチャネルはさらにユーザスループットを改善する。加えて、スケジューリングが変わる間の高速データ送信はＵＥに受信ダイバーシチを常時要求して、１つのブランチしかないときに比べて、スケジュール変更がそれほど頻繁に生じないようにするであろう。それ故に、平均的なＵＥ電力消費は、受信ダイバーシチが一貫してアクティブであってもＨＳＤＰＡシナリオでは、それほど増加しないかもしれない。
【０００８】
３ＧＰＰでは、ポイント−ツウ−マルチポイントＭＢＭＳシナリオが認識されており、その場合、良好な無線条件での改良型受信機の動的再構成はシステム性能に悪い影響を与えることはない。これは、ポイント−ツウ−マルチポイントＭＢＭＳの配信が固定した送信電力レベルで実行されることによる。このことは、ＵＥが基地局に近づくように移動するときや、良好な無線条件に入るときに、そのＵＥは改良型受信機（即ち、そのブランチの１つ）のスイッチを切ることができるが、所望のＭＢＭＳサービスの適切な受信品質は維持することができることを意味している。
【０００９】
ネットワークの観点からすれば、サービスの所望の品質は、ＵＥの受信ダイバーシチがスイッチオンされているかオフされているかに係わらず、成し遂げられるべきである。それ故に、ネットワークはポイント−ツウ−マルチポイントＭＢＭＳであっても、ＵＥに対してＢＬＥＲ或いはＳＤＵエラー率で品質目標をシグナリングすることになる。このことは実際には、ＵＥにおける受信機再構成のアルゴリズムにより用いられる。正確なアルゴリズムはＵＥの実施形に依存するものであり、ＵＥが自律的に受信ダイバーシチをスイッチオンしたり、オフすることを可能にしている。
【００１０】
スイッチングアルゴリズムを理解するために、次の変数が考慮される。即ち、
測定品質：ＱM、
調整目標品質：ＱT、
測定ＢＬＥＲ：ＢＬＥＲM
である。
【００１１】
測定品質ＱMは、ＷＣＤＭＡではＣＰＩＣＨのようなある既知の信号に基づいてＵＥにより測定される。測定品質の幾つかの例はＣＰＩＣＨ  ＲＳＣＰ、ＣＰＩＣＨ  Ｅc／Ｎo、ＳＩＮＲなどである。ＵＥにより選択される正確な量は、実施形に依存するものである。
【００１２】
調整目標品質ＱTは、測定ＢＬＥＲMとそれの目標ＢＬＥＲTとの比較とに従って、ＵＥにより自律的に調整される。ＱTの正確な導出量と調整量は従って、実施形に依存するものである。しかしながら、この説明ではＱTの解釈を簡単にするために、測定ＢＬＥＲ（ＢＬＥＲM）が目標ＢＬＥＲ（ＢＬＥＲT）よりも小さいときＱTは一定量だけ増加し、さもなければ、ＱTは一定量だけ減少するとする。
【００１３】
動的な再構成は次のように動作する。即ち、
ＱM＞ＱTであれば、
ＵＥは単一の受信機ブランチに切り替え、
そうでなければ（即ち、ＱM≦ＱT）、
ＵＥはデュアル受信機ブランチに切り替える。
【００１４】
ＭＢＭＳ受信についてのＵＥ能力は、例えば、非特許文献１で規定されている。まず、ＭＢＭＳサービスを搬送する２以上のＭＢＭＳトラフィックチャネル（ＭＴＣＨ）が１つの物理チャネル（Ｓ−ＣＣＰＣＨ）にある拡散因子と共にマップされる。次に、ＵＥは２以上のＭＴＣＨを（即ち、２以上のポイント−ツウ−マルチポイントＭＢＭＳサービスを一度に）受信することができる。受信機の動的再構成はユーザによる受信した全てのサービスのいずれの受信品質も劣化させるべきではない。
【００１５】
現在のシステムでは、基本となる仮定とは、ユーザは一度に、１つのＭＴＣＨチャネルにマップされた、１つのポイント−ツウ−マルチポイントＭＢＭＳサービスを受信するというものである。それ故に、受信機の動的再構成の決定は、１つの特定のサービスの測定品質に基づいている。その場合、前に述べたスイッチングの原理は、所望の品質目標が維持されることを保証するには十分である。一度に１つのサービスを受信することが普通の場合なのである。
【先行技術文献】
【非特許文献】
【００１６】
【非特許文献１】３ＧＰＰ  ＴＳ  ２５．３０６“ＵＥ無線アクセス能力（UE Radio Access capabilities）”
【発明の概要】
【発明が解決しようとする課題】
【００１７】
しかしながら、実際にはユーザは１つ以上のサービスを同時に受信することを意図するかもしれない。例えば、サッカーの試合を見ながら、天気予報を探すなどのことを行うのである。その場合、ユーザは１つ以上のＭＴＣＨを受信するであろう。そのＭＴＣＨは同じ物理チャネル（即ち、Ｓ−ＣＣＰＣＨ）に多重化されるかもしれない。それ故に、異なるサービスのサービス要求の品質は、異なるかもしれない。加えて、物理チャネルの構成、これは、変調、符号化、速度マッチングなどを意味するのであるが、これらは異なるタイプのチャネルでは大きく異なるかもしれない。しかしながら、前に述べたアルゴリズムでは、アクティブに多数のサービスを一度に受信するときに、ＵＥがその改良型受信機をどのように動的に再構成するのかについては記述していない。
【課題を解決するための手段】
【００１８】
従って、本発明の１つの側面は、上述の問題を解決することにある。
【００１９】
従って、第１の実施例に従う本発明は、少なくとも２つのサービス或いはトランスポートチャネルを同時に受信し、少なくとも２つの受信機ブランチをもつ受信機を用い、前記サービスの受信に関して前記受信機ブランチのうちの少なくとも１つをスイッチオンしたりスイッチオフすることによりその受信機を動的に再構成するユーザ機器における方法に関する。その動的再構成は、測定無線条件と前記サービスのネットワークにより制御されるサービス品質の目標と前記サービスの測定品質とのうちの少なくとも１つに基づいている。その方法はさらに、
全ての同時に受信したサービス或いはトランスポートチャネルについて、前記ネットワークにより制御されるサービス品質から測定品質目標を導出する工程と、
前記導出された最大の測定品質目標を用いて前記受信機を動的に再構成する工程とを有する。
【００２０】
他の側面から見れば、本発明はその方法を実行するように適合されたユーザ機器を提供するものである。
【００２１】
前記受信したサービス或いはトランスポートチャネルの全ては、同じ物理チャネルにマップされる。従って、受信機の動的再構成のために用いられる前記導出された測定品質目標は、前記測定品質目標全てのうちの最大値である。
【００２２】
前記受信したサービス或いはトランスポートチャネルは１つ以上の物理チャネルにマップされ、その受信機の再構成は各物理チャネルに独立になされる。各物理チャネルに対する受信機の再構成のために用いられる導出された測定品質目標は、対応する物理チャネルにマップされたサービス或いはトランスポートチャネルの測定品質目標全てのうちの最大値である。その受信機の再構成は全てのアクティブ物理チャネルで合同でなされる。受信機の動的再構成のために用いられる導出された測定品質目標は、アクティブな物理チャネル全てにマップされたサービス或いはトランスポートチャネルのうちの測定品質目標全てのうちの最大値である。
【００２３】
好ましくは、そのサービスはポイント−ツウ−マルチポイントＭＢＭＳサービスであり、そのトランスポートチャネルは、ＭＴＣＨ、ＭＣＣＨ、或いはＭＳＣＨである。また、そのサービスは、ポイント−ツウ−ポイントＤＣＨサービスであってもよく、そのトランスポートチャネルは、ＤＣＣＨとＤＴＣＨである。
【００２４】
本発明の他の利点は、ＵＥが同時に多数のサービス（或いはチャネル）を受信する場合には、受信機の動的再構成により、受信したサービス或いはチャネルのいずれの受信品質も悪化させることはないという点にある。
【００２５】
以下、多くの図示した代表的な実施例を参照して本発明について説明する。
【図面の簡単な説明】
【００２６】
【図１】本発明に従う移動体通信ネットワークの構成を示すブロック図である。
【図２】図１のネットワークにおけるユーザ機器の構成を詳細に示す図である。
【図３】本発明に従う多数のサービスがある場合の受信機の動的再構成を例示する図である。
【図４】本発明に従う１物理チャネル当りの受信機の動的再構成を例示する図である。
【発明を実施するための形態】
【００２７】
図１はユーザ機器（ＵＥ）１０が基地局２０のカバレッジ領域にいる移動体通信ネットワークを図示している。よく知られているように、ユーザ機器１０は基地局２０からの信号を受信することができる。
【００２８】
ネットワークは移動体通信標準に従って動作し、基地局がユーザ機器により検出可能なフォーマットでデータを送信することを保証している。説明する実施例では、そのネットワークはＥ−ＵＴＲＡＮ（改良型ＵＭＴＳ陸上無線アクセスネットワーク）ネットワークである。
【００２９】
特に、本発明はユーザ機器１０が基地局２０からＭＢＭＳ（マルチメディア同報マルチキャストサービス）信号を受信している状況に関するものである。
【００３０】
本発明に従うユーザ機器１０が図２に模式的に図示されている。ＵＥは複雑なものであり、図２は本発明の理解に関係する部分を模式的に表現しているものであることは明らかである。ＵＥは、少なくとも２つの受信機ブランチ１１ａ、１１ｂをもつ受信機１１を含んでおり、ブランチ各々は基地局２０からのＵＥ１０によって受信される信号を受信する。
【００３１】
ＵＥはさらに、データの受信に関して、前記受信機ブランチ１１ａ、１１ｂの少なくとも１つをスイッチオンしたり、スイッチオフすることによりその受信機を動的に再構成する再構成部１２を有している。測定部１３は無線条件を測定するために構成されている。その再構成部は、測定された無線条件と、前記サービスのネットワークにより制御されるサービス品質の目標と、前記サービスの測定品質とに基づいて動的再構成の実行動作を行うように構成されている。従って、ＵＥはさらに、同時受信されたサービス或いはトランスポートチャネル全てについて、ネットワークにより制御されたサービス品質から測定された品質目標を導出する目標導出ブロック１４と、（後で詳細に説明するが）導出された最大の測定品質目標を用いて受信機をいつ動的に再構成するのかを決定する再構成決定ブロック１５とを有している。
【００３２】
実際には、ＵＥは処理ユニット、メモリ、通信インタフェース（不図示）を有していることが認識されるであろう。従って、上述の多くの機能ブロック、例えば、再構成部１２、目標導出ブロック１４、再構成決定ブロック１５の機能は、処理ユニットにより実現されても良い。
【００３３】
多数のサービスを受信するとき、ＵＥで実行される受信機の動的再構成処理はアクティブなサービス全ての品質目標を維持することに努める。
【００３４】
ＵＥは、各アクティブサービスについて、ネットワークからシグナリングされたサービス品質の目標（例えば、ＢＬＥＲT）から調整品質目標（ＱT）を導出する。それから、ＵＥは調整品質目標の最大値を用いて動的に改良型受信機を再構成する。
【００３５】
ポイント−ツウ−マルチポイントＭＢＭＳ送信において、多数のサービスは１つのセカンダリ共通制御物理チャネル（Ｓ−ＣＣＰＣＨ）にマップされたり、或いは、異なる物理チャネルにマップされる。ネットワークはそれ故に、もし、いくつかのサービスが基幹となるネットワークにより提供されることになるなら、幾つかのＳ−ＣＣＰＣＨをアクティベートするかもしれない。これにより、次の可能性が生じる。即ち、ＵＥは同じ物理チャネルで多数のサービスを受信するか、或いは、ＵＥが異なる物理チャネルで多数のサービスを受信するということである。
【００３６】
動的再構成のスイッチング機構はこれら全ての場合に対しての必要を満たしている。
【００３７】
最も一般的なシナリオは、多数のサービスが同じ物理チャネルで受信されるというものである。ＵＥで実行される処理は図３に図示されている。
【００３８】
ＵＥが、同じ物理チャネルにマップされたＮ個のポイント−ツウ−マルチポイントＭＢＭＳサービスを同時に受信していることを仮定しよう。各サービスは、例えば、ブロックエラー率（ＢＬＥＲ）或いはサービスデータユニット（ＳＤＵ）エラー率などのサービスの目標品質と関係付けられており、これらはネットワークによりＵＥに信号送信される。
【００３９】
このシナリオでは、ＵＥは次の処理に従って、スイッチングアルゴリズムのために用いられる品質目標を導出しなければならない。
【００４０】
最初に、ステップ３０．１，……，３０．Ｎでは夫々、ＵＥは各サービスserv1，……，servNに対して、対応する品質目標ＱT_serv1，……ＱT_servNをセットする。
【００４１】
異なるサービスに対する品質目標各々は、その実施形に従ってＵＥによりセットされる。例えば、その目標は、ＢＬＥＲを測定し、その測定値を目標ＢＬＥＲと比較することによりセットされる。各サービスに関する品質目標の正確な導出量と調整量とは実施形に依存したものである。しかしながら、この説明では、その品質目標は、測定ＢＬＥＲ（ＢＬＥＲM）が目標ＢＬＥＲ（ＢＬＥＲT）により小さいなら一定量だけ増し、そうでないなら一定量だけ減らすものと仮定する。
【００４２】
ステップ３２では、ＵＥは次の方程式、
ＱT_switch＝ｍａｘ（ＱT_serv1，ＱT_serv2，……ＱT_servN）
に従って、各サービス個々についての品質目標から全体的な品質目標ＱT_switchを設定する。
【００４３】
それから、ステップ３４では、スイッチングアルゴリズムは全体的な品質目標と実際に測定された品質ＱMとを比較する。例えば、ＷＣＤＭＡでは、実際に測定された品質は、測定された共通パイロットチャネル（ＣＰＩＣＨ）Ｅc／Ｎo値に基づいている。その比較の結果に基づいて、ＵＥが多数のサービスを受信している対応する物理チャネルの受信のために受信機を動的にスイッチオンしたり、スイッチオフしたりするための決定がなされる。例えば、もし測定品質が全体的な品質目標を超えたなら、即ち、ＱM＞ＱT_switchであるなら、１つのブランチがスイッチオフされる。しかしながら、そうでないなら、全てのブランチがスイッチオンされる。
【００４４】
なお、ＵＥは最も切迫したサービス（例えば、最低のＢＬＥＲ目標をもつもの）に従って、その受信機を直接的に動的に再構成することはない。これは、ネットワークが異なる符号化方式や符号化速度や変調方式やＢＬＥＲ目標を異なるサービスに対して用いるかもしれないという理由による。これは、最低のＢＬＥＲが調整品質目標の最大値には対応しないかもしれないという場面につながるかもしれない。このために、ＵＥは、受信している各サービスについて調整された品質目標を独立に導出し、これといくつかの測定品質とを比較することにより動的に受信機を再構成する調整された最大品質目標（ＱT）を選択する。このことは、同時に受信しているサービス全てについての望ましい品質目標を維持しようとＵＥが試みることを保証している。
【００４５】
別のシナリオは、多数のサービスが多数の物理チャネルで受信されるというものである。例えば、ＵＥは同時に、Ｎ個（Ｎ＞１）のポイント−ツウ−マルチポイントＭＢＭＳサービスを１番目の物理チャネルで、そして、Ｍ個（Ｍ＞１）のポイント−ツウ−マルチポイントＭＢＭＳサービスを２番目の物理チャネルで受信するかもしれない。
【００４６】
その受信機を再構成するには２つの異なる方法があり、以下に説明するように２つの異なる実施例が生じる。
【００４７】
１つの可能性は１物理チャネル当り再構成を実行することであり、一方、別の可能性はまとめて再構成を実行することである。
【００４８】
１物理チャネル当りの動的再構成の場合、ＵＥで実行される処理が図４に図示されている。
【００４９】
図４において、ＵＥはＬ個の物理チャネルで複数のポイント−ツウ−マルチポイントＭＢＭＳサービス受信し、Ｎ個のポイント−ツウ−マルチポイントサービスを１番目の物理チャネルで受信し、Ｋ個のポイント−ツウ−マルチポイントＭＢＭＳサービスをＬ番目の物理チャネルで受信している。
【００５０】
まず、ステップ４０．１．１，……，４０．１．Ｎでは夫々、ＵＥは１番目の物理チャネルでのサービスserv1，……，servN各々に対して、対応する品質目標ＱT_serv1，……，ＱT_servNを設定する。
【００５１】
ステップ４２．１では、ＵＥは以下の方程式、
ＱT_ch1_switch＝ｍａｘ（ＱT_serv1，ＱT_serv2，……ＱT_servN）
に従って、個々のサービス各々について品質目標から１番目のチャネルについての全体的な品質目標ＱT_ch1_switchを設定する。
【００５２】
同様の処理が他のチャネル各々についても実行される。従って、一般には、ステップ４０．Ｌ．１，……，４０．Ｌ．Ｋ夫々において、ＵＥはＫ番目の物理チャネルでのサービスserv1，……，servK各々に対して、対応する品質目標ＱT_serv1，……，ＱT_servKを設定する。
【００５３】
ステップ４２．Ｌでは、ＵＥは以下の方程式、
ＱT_chL_switch＝ｍａｘ（ＱT_serv1，ＱT_serv2，……ＱT_servK）
に従って、個々のサービス各々について品質目標からＬ番目のチャネルについての全体的な品質目標ＱT_chL_switchを設定する。
【００５４】
従って、ＵＥは、それが物理チャネルで受信しているサービス全ての調整された品質目標（ＱT_service）から各物理チャネルについて独立に調整された最大の品質目標（ＱT_switch）を選択する。それから、ＵＥは動的に、各物理チャネルについて独立にその受信機を再構成する。従って、ステップ４４．１では、もし測定品質が１番目のチャネルについての全体的な品質目標を超えるなら、即ち、ＱM＞ＱT_ch1_switchであるなら、１つのブランチが１番目のチャネルについてはスイッチオフされるが、そうでなければ全てのブランチはスイッチオンされる。同様に、ステップ４４．Ｌでは、もし、測定品質がＬ番目のチャネルについての全体的な品質目標を超えるなら、即ち、ＱM＞ＱT_chL_switchであるなら、１つのブランチがＬ番目のチャネルについてはスイッチオフされるが、そうでなければ全てのブランチはスイッチオンされる。
【００５５】
このことはＵＥが１つの物理チャネルを受信するために両方の受信機ブランチを用いても良いが、別の物理チャネルを受信するためにただ１つの受信機ブランチを用いてもよいことを意味する。
【００５６】
上述のように、物理チャネル当りの再構成のための代替案は、まとめて動的再構成を行うことであり、このことは、ＵＥが多数のサービスを多数の物理チャネルで受信するとき、物理チャネルに関係なく全てのサービスの調整された品質目標（ＱT_serv）から調整された最大の品質目標（ＱT_switch）を選択することを意味している。このことは以下の方程式によって表現される。即ち、
ＱT_switch＝ｍａｘ（ＱT_ch1_serv1，……，ＱT_ch1_servN，……，ＱT_chL_serv1，……，ＱT_chL_servK）
である。
【００５７】
最終的な調整された品質目標（ＱT_switch）を導出後、ＵＥは前に説明したのと同じ機構に従って、その受信機を動的に再構成する。即ち、１つの受信機ブランチは、もし、その測定品質が最終的に調整された品質目標を超えているなら、スイッチオフされるが、そうでなければ、全てのブランチはスイッチオンされる。
【００５８】
このまとめられた動的再構成は、ＵＥが受信物理チャネルの数に関係なく、１つの受信機再構成スイッチングの決定をしなければならないだけなので、ＵＥ実装の観点からすればより単純である。
【００５９】
前の説明では主として、ＵＥが多くのＭＢＭＳサービス、即ち、ＭＢＭＳポイント−ツウ−マルチポイント・トラフィック・チャネル（ＭＴＣＨ）チャネルを受信する場合におけるＵＥ受信機の動的再構成に焦点を当ててきた。本発明はまた、ＭＢＭＳ制御チャネル（ＭＣＣＨ）やＭＢＭＳスケジューリングチャネル（ＭＳＣＨ）のような他のポイント−ツウ−マルチポイントＭＢＭＳ関連チャネルに対しても良好なものである。しかしながら、たいていの通常のシナリオは、受信ダイバーシチ（或いはデュアル受信機ブランチ）が主としてＭＴＣＨの受信のために実装されるものである。
【００６０】
受信機の動的再構成はポイント−ツウ−マルチポイントＭＢＭＳ受信に対して可能であることが見出された。しかしながら、本発明は専用チャネル（ＤＣＨ）のような他のチャネルに対しても同じように有効なものである。専用チャネルの場合、ほとんどいつも、夫々がその品質目標に関係付けられた多数のトランスポートチャネルはセットアップされている。
【００６１】
Ｅ−ＵＴＲＡＮでは、単一周波数のＭＢＭＳ（ＳＦＭＢＭＳ）が用いられる。良好な受信性能を保証するために、ＳＦＭＢＭＳが可能なＵＥ全てはおそらくはデュアル受信機ブランチをもつであろう。このことは、受信機の動的再構成がおそらくはＳＦＭＢＭＳが可能なＵＥにおいて採用されるであろうことを意味する。ＳＦＭＢＭＳにおいて、ＵＥは、搬送波全体がＳＦＭＢＭＳ専用となるので、一度に複数のＭＢＭＳサービスだけを受信する。このことにより、ＵＥは都合良く多数のサービスを同時に受信することが可能になろう。従って、本発明は、ＵＥが多数のサービスを同時に受信するときにはＳＦＭＢＭＳシナリオにも適用可能である。
【図１】
2010525703.tif 000003
【図２】
2010525703.tif 000004
【図３】
2010525703.tif 000005
【図４】
2010525703.tif 000006
【国際調査報告】
2010525703.tif 000007
2010525703.tif 000008